(57)【特許請求の範囲】
【請求項１】
袋の内容物が排出される際に排出通路となる筒状体１を備え、前記筒状体１の外面には雄ネジが形成され、前記筒状体１の一端に断面楕円形状となる漏斗体２が形成された漏斗型筒Ｅと、前記筒状体１に被嵌可能な筒体３を備え、前記筒体３の一端に前記漏斗体２と略同形状の断面楕円形状となる漏斗部４が形成された漏斗型カバーＤと、内面に雌ネジが形成され前記筒状体１の雄ネジに螺着可能なネジ式ストッパーＣと、前記筒状体１の他端に螺着可能なネジ式キャップＢとを有し、前記漏斗型カバーＤの漏斗部４の漏斗形状の角度を前記漏斗型筒Ｅの漏斗体２の漏斗形状の角度より小さく形成し、前記ネジ式ストッパーＣにて前記漏斗型カバーＤの筒体３の他端部に圧力をかけることができるようにしてなることを特徴とする着脱自在二重漏斗型の袋挟みキャップ。
【請求項２】
前記漏斗型カバーＤの漏斗部４の漏斗形状の内周縁部と前記漏斗型筒Ｅの漏斗体２の漏斗形状の外周縁部の少なくともどちらか一方に弾性状なるシート材を設けてなることを特徴とする請求項１に記載の着脱自在二重漏斗型の袋挟みキャップ。
【請求項３】
袋Ｋの内容物が排出される際に排出通路となる筒状体１を備え、前記筒状体１の外面には雄ネジが形成され、前記筒状体１の一端に断面楕円形状となる漏斗体２が形成された漏斗型筒Ｅと、前記筒状体１に被嵌可能な筒体３を備え、前記筒体３の一端に前記漏斗体２と略同形状の断面楕円形状となる漏斗部４が形成された漏斗型カバーＤと、内面に雌ネジが形成され前記筒状体３の雄ネジに螺着可能なネジ式ストッパーＣと、前記筒状体１の他端に螺着可能なネジ式キャップＢとを有し、前記漏斗型カバーＤの漏斗部４の漏斗形状の角度を前記漏斗型筒Ｅの漏斗体２の漏斗形状の角度より小さく形成し、前記袋Ｋの切断開口部Ｉ内に前記漏斗型筒Ｅの漏斗体２の外周縁部を挿入して前記漏斗型筒Ｅを袋Ｋの切断開口部Ｉの内側に装着し、前記漏斗型カバーＤの筒体３を前記漏斗型筒Ｅの筒状体１に被嵌するとともに袋Ｋの切断開口部Ｉの外側に前記漏斗型カバーＤの漏斗部４が前記漏斗体２に重なるように漏斗型カバーＤを装着し、前記筒状体１に前記ネジ式ストッパーＣを螺着して、前記ネジ式ストッパーＣにて前記漏斗型カバーＤの筒体３の他端部に圧力をかけることにより、前記漏斗体２と前記漏斗部４との間に袋Ｋの切断開口部Ｉの縁部を挟み込み固定してなることを特徴とする着脱自在二重漏斗型の袋挟みキャップ。
【請求項４】
前記漏斗型カバーＤの漏斗部４の漏斗形状の内周縁部と前記漏斗型筒Ｅの漏斗体２の漏斗形状の外周縁部の少なくともどちらか一方に弾性状なるシート材を設けてなることを特徴とする請求項３に記載の着脱自在二重漏斗型の袋挟みキャップ。
【発明の詳細な説明】
【技術分野】
【０００１】
本発明は、袋内の内容物例えば砂糖・塩あるいは肥料などの紛粒物等を袋内からスムーズに排出するために袋の開口部に装着されるものであり、袋の開口部に再三の着脱が容易で、袋内の内容物の出し入れ可能であり密封度も高い着脱自在二重漏斗型の袋挟みキャップに関する。
【背景技術】
【０００２】
従来から袋内の内容物排出用で、袋の開口部に着脱可能な開閉型キャップは存在する。この開閉型キャップは、袋内の内容物を袋内から排出するために袋の開口部に一部が挿入されるものであって、両端が開口された筒状体の一端側が袋の開口部に挿入されて排出通路となり、内容物排出口側となる筒状体の他端部に開閉する蓋を設けられており、袋の開口周縁を外側から覆うようにして係止弾性輪にて筒状体の外周側面に密着し、筒状体の外周側面に取付け締付けるものである。（特許文献１）
【先行技術文献】
【特許文献】
【０００３】
【特許文献１】特開２００７−３２０５７７号
【発明の概要】
【発明が解決しようとする課題】
【０００４】
しかしながら、特許文献１の袋内の内容物排出用の着脱可能な開閉型キャップは、袋内の内容物を袋内からスムーズに排出するために袋の開口部に一部挿入されているが、挿入部分が単純な筒状であり、袋内に突出した状態となり、挿入された筒状体と袋との間に袋内内容物が多く残留し、最終すべてを排出する事が出来ず手間がかかるという欠点があった。
【０００５】
また、排出通路となる筒状体を設け、内容物排出口側となる筒状体の端部に開閉する蓋を設けているが、ネジでなく嵌合するだけの蓋であり密封性も弱く、袋内内容物の変質や変色する恐れがあり蓋が外れやすく袋内内容物が袋外部へ流出する可能性があった。
【０００６】
そして、袋の開口周縁側を外側から覆うようにして筒状体の外周側面に包み込みながら密着して、筒状体の外周側面に固定リングを取付け締付け固定しているが、袋に取付けた場合には袋の封印部分が折曲ったりシワが発生し確実に密封されず、筒に袋の口を手で絞った時に袋自体の皺（撓み）により隙間が発生する為、固定強度が安定しない欠点があり、たまたま袋内内容物排出用の着脱可能な開閉型キャップを持ってしまった場合には袋から外れてしまう欠点があった。
【０００７】
本発明は、以上のような従来の欠点に鑑み、袋内の内容物を残さずスムーズに排出させたことができる袋内内容物排出用の着脱自在二重漏斗型の袋挟みキャップを提供することを目的としている。
【課題を解決するための手段】
【０００８】
上記目的を達成するために、本発明の着脱自在二重漏斗型の袋挟みキャップＡは、袋の内容物が排出される際に排出通路となる筒状体１を備え、前記筒状体１の外面には雄ネジが形成され、前記筒状体１の一端に断面楕円形状となる漏斗体２が形成された漏斗型筒Ｅと、前記筒状体１に被嵌可能な筒体３を備え、前記筒体３の一端に前記漏斗体２と略同形状の断面楕円形状となる漏斗部４が形成された漏斗型カバーＤと、内面に雌ネジが形成され前記筒状体１の雄ネジに螺着可能なネジ式ストッパーＣと、前記筒状体１の他端に螺着可能なネジ式キャップＢとを有し、前記漏斗型カバーＤの漏斗部４の漏斗形状の角度を前記漏斗型筒Ｅの漏斗体２の漏斗形状の角度より小さく形成し、前記ネジ式ストッパーＣにて前記漏斗型カバーＤの筒体３の他端部に圧力をかけることができるようにしてなることを特徴とする。
【０００９】
そして、本発明の着脱自在二重漏斗型の袋挟みキャップＡは、上記構成により、前記袋Ｋの切断開口部Ｉ内に前記漏斗型筒Ｅの漏斗体２の外周縁部を挿入して前記漏斗型筒Ｅを袋Ｋの切断開口部Ｉに装着し、前記漏斗型カバーＤの筒体３を前記漏斗型筒Ｅの筒状体１に被嵌するとともに袋Ｋの切断開口部Ｉの外側に前記漏斗型カバーＤの漏斗部４が前記漏斗体２に重なるように漏斗型カバーＤを装着し、前記筒状体１に前記ネジ式ストッパーＣを螺着して、前記ネジ式ストッパーＣにて前記漏斗型カバーＤの筒体３の他端部に圧力をかけることにより、前記漏斗体２と前記漏斗部４との間に袋Ｋの切断開口部Ｉの縁部を挟み込み固定してなることを特徴とする。
【００１０】
本発明の着脱自在二重漏斗型の袋挟みキャップＡは、前記漏斗体２と前記漏斗部４とが断面楕円形状となることを特徴とする。更に、前記漏斗部４の漏斗形状の角度を前記漏斗体２の漏斗形状の角度を小さくしてなることを特徴とする。また、前記漏斗部４の漏斗形状の内周縁部と前記漏斗体２の漏斗形状の外周縁部の少なくともどちらか一方に弾性状なるシート材を設けてなることを特徴とする。
【発明の効果】
【００１１】
以上の説明から明らかなように、本説明にあっては次に列挙する効果が得られる。
【００１２】
本発明の着脱自在二重漏斗型の袋挟みキャップＡは、袋の内容物が排出される際に排出通路となる筒状体１を備え、前記筒状体１の外面には雄ネジが形成され、前記筒状体１の一端に漏斗体２が形成された漏斗型筒Ｅと、前記筒状体１に被嵌可能な筒体３を備え、前記筒体３の一端に前記漏斗体２と略同形状の漏斗部４が形成された漏斗型カバーＤと、内面に雌ネジが形成され前記筒状体１に螺着可能なネジ式ストッパーＣと、前記筒状体１の他端に螺着可能なネジ式キャップＢとを有することにより、袋Ｋの角部を切断し、袋Ｋの切断開口部Ｉを二個の漏斗型筒Ｅと漏斗型カバーＤに挟み込ませ、ネジ式ストパーＣを締付けることにより内外より袋を押え込み、袋に袋挟みキャップＡを袋本体切断部分に固定する事ができる。
【００１３】
したがって、漏斗型筒Ｅと漏斗型カバーＤが袋Ｋの袋切断部に密着する部分を漏斗型にしたことにより、袋内部の内容物をスムーズに残さず外に排出させることが出来る。
【００１４】
袋Ｋの角部を切断し、袋Ｋの切断開口部Ｉを二個の漏斗型筒Ｅと漏斗型カバーＤに挟み込ませ、ネジ式ストパーＣを締付けることにより内外より袋Ｋの切断開口部Ｉを押え込み圧力をかける事により密封ができ、着脱自在二重漏斗型の袋挟みキャップＡを袋本体切断した漏斗形状部分への取付け強度を高め、密封度も向上させることが出来る。また袋の溶着部分（耳部）を関係なく密封ができ、着脱自在二重漏斗型の袋挟みキャップＡを袋の切断開口部Ｉに取付けることが出来る。そして密封ができるため、袋内内容物の気化による変色及び品質低下を抑制する事ができる。
【００１５】
さらに漏斗型筒Ｅの筒状体１のネジ部の先端にネジ式キャップＢを取付け、締付けることにより袋の密封性を高め、ネジ式キャップＢの開閉により袋内容物を取出すことが出来る。また、再密封も可能になる。
【００１６】
着脱自在二重漏斗型の袋挟みキャップＡを、別袋に取り付ける場合には、ネジ式ストッパーＣを緩めて取り外し締付けることにより、着脱可能となり再利用も可能となる。
【００１７】
袋内内容物を「詰め替え用」容器や袋に移し替え使用するとき、家庭の主婦などにとって辛く、作業の負担が大きいが本発明により、軽減されることになる。
【図面の簡単な説明】
【００１８】
【図１】本発明の着脱自在二重漏斗型の袋挟みキャップＡを袋Ｋに取り付けた状態を示す図である。
【図２】本発明の着脱自在二重漏斗型の袋挟みキャップＡの各構成部品が組合された状態の一実施例を示す斜視図である。
【図３】袋Ｋに本発明の実施例を取り付けた全体図である。
【図４】図２の実施例の上面から見た平面図である。
【図５】図２の実施例の底面から見た底面図である。
【図６】図１の本発明の実施例を袋に取り付けた状態の断面図である。
【図７】本発明の実施例の分離状態を示すものであり、各構成部と角部切断した袋Ｋとの取付位置の関係を示す斜視図である。
【発明を実施するための形態】
【００１９】
以下、本発明の実施の形態を図に基づいて説明する。図１は、本発明の実施例の図面であって、袋Ｋの開口部に袋内の内容物排出用である着脱自在二重漏斗型の袋挟みキャップＡを取付けた状態を示すものである。
【００２０】
袋挟みキャップＡは、袋内の内容物（例えば砂糖・ドッグフード・肥料などの粉粒物を言う）を袋内からスムーズに排出するために袋Ｋの切断開口部Ｉに袋挟みキャップＡが装着されるものである。
【００２１】
本発明の着脱自在二重漏斗型の袋挟みキャップＡは、ネジ式キャップＢ、ネジ式ストッパーＣ、漏斗型カバーＤおよび漏斗型筒Ｅにて構成されており、漏斗型筒Ｅは、袋Ｋの内容物が排出される際に排出通路となる長めの筒状体１を備え、この筒状体１の外面には雄ネジが形成されており、更に筒状体１の一端に漏斗体２が形成されている。漏斗型カバーＤは、漏斗型筒Ｅの筒状体１に被嵌可能な短めの筒体３を備え、この筒体３の一端に漏斗体２と略同形状の漏斗部４が形成されている。ネジ式ストッパーＣは、内面に雌ネジが形成され、筒状体１に螺着可能なものである。ネジ式キャップＢは、筒状体１の他端に螺着可能なものであり、筒状体１の他端を塞ぐものである。
【００２２】
漏斗型カバーＤの漏斗部４と漏斗型筒Ｅの漏斗体２は略同形状であり、略同形状であるため、漏斗部４と漏斗体２が密着しやすくなるものである。また、漏斗部４の漏斗形状の角度を漏斗体２の漏斗形状の角度を少し小さめに形成すれば、密着度合が向上するため、袋挟みキャップＡを袋切断開口部Ｉに装着した場合に、より強度に固定することが可能となる。
【００２３】
ネジ式キャップＢは、袋内の内容物排出用の着脱自在二重漏斗型の袋挟みキャップＡの袋内の内容物を排出する部分を密封するためのものである。ネジ式ストッパーＣは、袋切断開口部Ｉを挟んだ漏斗型筒Ｅと漏斗型カバーＤにネジ式ストッパーＣのネジ締付けにより圧力を加え、袋に袋内内容物排出用の着脱自在二重漏斗型袋挟みキャップＡを固定するための部品である。
【００２４】
漏斗型カバーＤは、袋の切断開口部Ｉの外面に接し、袋の切断開口部Ｉの内面に接する漏斗型筒Ｅと袋の切断開口部Ｉを挟み、ストッパーＣにて締付ける時の受けの部分（当たり部）を設けた部品である。
【００２５】
漏斗型筒Ｅは、袋の切断開口部Ｉの内面に接し、袋切断開口部Ｉの外面に接する漏斗型カバーＤと袋切断開口部Ｉを挟み固定し、筒先端部にネジ締付け部を設けた部品である。
【００２６】
図６、図７に示されるように、本発明の着脱自在二重漏斗型の袋挟みキャップＡでは、袋Ｋの切断開口部Ｉ内に漏斗型筒Ｅの漏斗体２の外周縁部を挿入し、漏斗型筒Ｅを袋Ｋの切断開口部Ｉに装着した後、漏斗型カバーＤの筒体３を筒状体１の被嵌するとともに袋Ｋの切断開口部Ｉの外側に漏斗型カバーＤの漏斗部４を漏斗体２に重なるように密着させて、漏斗型カバーＤを装着する。この際長めの筒状体１はネジ部が露出している状態となる。この状態の筒状体１にネジ式ストッパーＣを螺着して漏斗体２と漏斗部４との間に袋Ｋの切断開口部Ｉの縁部を挟み込み固定してなるものである。そして、ネジ式キャップＢが、筒状体１の他端に螺着されているものである。
【００２７】
そして、図４、図５に示されるように、袋挟みキャップＡの漏斗型筒Ｅの漏斗体２と漏斗型カバーＤの漏斗部４との断面形状が楕円形状となるものである。この場合、漏斗型筒Ｅの漏斗体２が断面楕円形状となるので、袋Ｋの切断開口部Ｉ内に漏斗体２の外周縁部を挿入しやすくなるものである。
【００２８】
図５、６、７に示されるように、漏斗型カバーＤの漏斗体４の内周縁部に弾性材でなるシートＬを設けてよいものであり、袋挟みキャップＡを袋Ｋの切断開口部Ｉに装着して、漏斗型筒Ｅと漏斗型カバーＤ間に切断開口部Ｉを挟み込ませた場合に、密着性能や固定性能を向上させることができる。また、漏斗型カバーＥの漏斗部２の外周縁部に同様のシート材Ｌを貼り付けても良いものである。シート材Ｌは、ＥＰＤＭ＝エチレン・プロピレンゴムを使用した独立気泡ゴムスポンジであり、弾性材で形成されている。
【００２９】
袋Ｋの角部を切断し、袋Ｋの切断開口部Ｉを二個の漏斗型筒Ｅと漏斗型カバーＤに挟み込ませ、ネジ式ストパーＣを締付けることにより袋を押え込み、袋に袋挟みキャップＡを袋本体切断部分に確実に固定する事ができ、接続部の取付け強度を高め、密封度も向上させることが出来る。このことにより、漏斗型筒Ｅと漏斗型カバーＤが袋Ｋ本体に密着し、開口部の袋内部でも漏斗形状となり、従来のような突起ブルは無く、内容物をスムーズに残さず排出させることができる。
【００３０】
着脱自在二重漏斗型の袋挟みキャップＡは、袋Ｋの切断開口部Ｉより袋内部に漏斗型筒Ｅの一部が挿入されるものであって、外側の漏斗型カバーＤと挟むようにして、締付けたネジ式ストッパーＣの圧力により袋Ｋを内側の漏斗型筒Ｅと外側の漏斗型カバーＤとの隙間をなくし、袋Ｋに固定され外れないものである。
【００３１】
着脱自在二重漏斗型の袋挟みキャップＡは、袋Ｋの切断開口部Ｉより袋内部に漏斗型筒Ｅの一部が挿入されるものであって、外側の漏斗型カバーＤと挟むようにして、締付けたネジ式ストッパーＣの圧力により内側の漏斗型筒Ｅと外側の漏斗型カバーＤとが密着し隙間をなくした事により、袋Ｋと袋挟みキャップＡとの隙間が無くなり内容物が残留しない。
【００３２】
着脱自在二重漏斗型の袋挟みキャップＡは、排出通路となる筒状体１を設け、内容物排出口側となる筒状体１の端部をネジ式として、ネジ式キャップＢを締付ける事により密封性を高め、袋内内容物の変質や変色を防止している。
【００３３】
着脱自在二重漏斗型の袋挟みキャップＡは、排出通路となる筒状体１を設け、内容物排出口側となる筒状体１の端部をネジ式として、ネジ式キャップＢの緩み及び外れを防止する事により袋内内容物が袋外部へ流出する事を防止している。
【００３４】
着脱自在二重漏斗型の袋挟みキャップＡは、袋Ｋの切断開口部Ｉに合わせた漏斗型筒形状であり内側の漏斗型筒Ｅと袋と外側の漏斗型カバーＤに、締付けたネジ式ストッパーＣの圧力をかける事により固定強度が上がり外れなくなる。
【００３５】
着脱自在二重漏斗型の袋挟みキャップＡは、袋Ｋの切断開口部Ｉに合わせた漏斗型筒形状であり内側の漏斗型筒Ｅと袋と外側の漏斗型カバーＤに、締付けたネジ式ストッパーＣの圧力をかける事により固定強度が上がり外れなくなり、袋挟みキャップＡを持ってしまった場合でも袋Ｋと外れてしまう事はない。
【００３６】
着脱自在二重漏斗型の袋挟みキャップＡは、袋Ｋの切断開口部Ｉ内部に漏斗体２の漏斗体２を挿入し取付け、袋Ｋ内面と漏斗体２を密着させ隙間をなくしたことにより、袋内の内容物排出時に袋を傾けることで袋内に残留することなくスムーズに排出することが可能になる。また、袋内の内容物を排出する際に、内容部との重さにより、袋挟みキャップＡの内側となる漏斗体２に荷重がかかり、更に密着度合が増して、袋挟みキャップＡが袋Ｋの切断開口部Ｉから外れ難くなる。
【００３７】
着脱自在二重漏斗型の袋挟みキャップＡは、漏斗型筒Ｄの漏斗体２を袋Ｋの切断開口部Ｉから挿入し中心位置に仮置きし、袋Ｋの切断開口部Ｉに対し漏斗型筒Ｄを垂直方向に袋内側より外側に向け応力を加えて引いても外れなく、漏斗型筒Ｄと漏斗型カバーＥの漏斗部分の開く角度を同一にし、漏斗型筒Ｄの漏斗体２先端までの長さより漏斗型カバーＥの漏斗部４の先端までの一辺の長さを長くすることにより、袋との接する面積が広くなり、袋との密封度を高めることができる。
【００３８】
着脱自在二重漏斗型の袋挟みキャップＡは、袋Ｋが漏斗型筒Ｄと漏斗型カバーＥに挟み込み、ネジ式ストッパーＣを締付け取付けているため、着脱が容易で再利用も可能になる。
【実施例】
【００３９】
本発明の実施例として、図７に示される各部位の具体的な寸法を明示する。また、ネジ式キャップＢ、ネジ式ストッパーＣが高密度ポリエチレン製、漏斗型筒Ｃ、漏斗型カバーＥが高密度ポリエチレン製である。
ａ：ネジ式キャップＢの外形（円柱の直径）寸法        ５５．０mm
ｂ：ネジ式キャップＢの高さ（円柱の高さ）寸法        ２５．０mm
ｃ：ネジ式ストッパーＣの外形（円柱の直径）寸法      ５５．０mm
ｄ：ネジ式ストッパーＣの内形（円柱の直径）寸法      ４８．０mm
ｅ：ネジ式ストッパーＣの厚み（外形寸法と内径寸法の差）３．０mm
ｆ：ネジ式ストッパーＣの高さ（円柱の高さ）          ２０．０mm
ｇ：漏斗型カバーＤのネジ式ストッパーＣが接触（押さえられる）する筒体３の厚み                                          ３．０mm
ｈ：漏斗型カバーＤのネジ式ストッパーＣが接触（押さえられる）する筒体３の外形の寸法                                  ５５．０mm
ｉ：漏斗型カバーＤのネジ式ストッパーＣが接触（押さえられる）する筒体３の内形の寸法                                  ４８．０mm
ｊ：漏斗型カバーＤの漏斗部４の外形斜面寸法          ６５．０mm
ｋ：漏斗型カバーＤの漏斗部４の三角すいの外面角度    ８８°
ｌ：漏斗型カバーＤの漏斗部４の三角すい底辺寸法      １３．５mm
ｍ：漏斗型筒Ｅの筒状体１（雄ネジ部）直径寸法        ４７．０mm
ｎ：漏斗型筒Ｅの筒状体１（雌ネジ部）直径寸法        ４２．０mm
ｏ：漏斗型筒Ｅの筒状体１の内径直径寸法              ３６．０mm
ｐ：漏斗型筒Ｅのネジ部の長さ寸法                    ５５．０mm
ｑ：漏斗型筒Ｅの漏斗体２の外形斜面寸法              ６０．０mm
ｒ：漏斗型筒Ｅの漏斗体２の三角すい部分の底辺寸法    １２．５mm
ｓ：漏斗型カバーＤの筒体３の高さ寸法                  ２．０mm
ｔ：漏斗型筒Ｅの漏斗体２の三角すいの外面角度        ９０°
【符号の説明】
【００４０】
Ａ  着脱自在二重漏斗型の袋挟みキャップ
Ｂ  ネジ式キャップ
Ｃ  ネジ式ストッパー
Ｄ  漏斗型カバー
Ｅ  漏斗型筒
Ｉ  袋切断開口部
Ｋ  袋
１  筒状体
２  漏斗体
３  筒体
４  漏斗部
Ｌ  シート材
【要約】      （修正有）【課題】袋の開口周縁側に装着され、袋内の内容物を袋内からスムーズに排出ができ着脱可能することができる着脱自在二重漏斗型の袋挟みキャップを提供する。【解決手段】袋内の内容物を袋からスムーズに排出するために袋切断開口部に一部挿入される物であって、両端が開口されその一端側が袋の切断開口部に一部挿入され内部の袋内内容物が排出される際の排出通路となる筒状体を設け、他一端側の内容物排出口側となる漏斗型筒Ｅの一方に開閉するネジ式キャップＢを設け、ネジ式キャップＢを締付けることにより密封され、袋本体内内容物が着脱自在二重漏斗型の袋挟みキャップＡを通過し外部に流出することを防止すると共に袋本体内の内容物の気化による変色及び品質低下を抑制させ、再三の使用が可能であることから、資源の無駄遣いもないのである。【選択図】図１【図１】
0005497944.tif 000002
【図２】
0005497944.tif 000003
【図３】
0005497944.tif 000004
【図４】
0005497944.tif 000005
【図５】
0005497944.tif 000006
【図６】
0005497944.tif 000007
【図７】
0005497944.tif 000008